(57)【要約】【課題】この発明は、給電用ブラシをコミュテータの内径ぎりぎりまで近づけることができるようにした振動モータの回転部材を提供することを目的とする。【解決手段】１または2以上の電機子コイルが偏った位置に形成されたロータと、このロータと同心に配備されかつ給電用ブラシに接触される摺動電極を備えた平面型のコミュテータとを有する振動モータの回転部材であって、上記コミュテータには上記摺動電極に電気的に接続された結線部がスルホールとして設けられ、その結線部に電機子コイルの巻線の端末が結線されて電気的に接続されているとともに、上記スルホールが上記コミュテータの摺動電極外径側に設けられていることを特徴とする振動モータの回転部材。【選択図】  図１
2005237181.tif 000002
【特許請求の範囲】
【請求項１】
１または2以上の電機子コイルが偏った位置に形成されたロータと、このロータと同心に配備されかつ給電用ブラシに接触される摺動電極を備えた平面型のコミュテータとを有する振動モータの回転部材であって、上記コミュテータには上記摺動電極に電気的に接続された結線部がスルホールとして設けられ、その結線部に電機子コイルの巻線の端末が結線されて電気的に接続されているとともに、上記スルホールが上記コミュテータの摺動電極外径側に設けられていることを特徴とする振動モータの回転部材。
【請求項２】
給電用ブラシが、摺動電極内径側に電気的に接続されている請求項１に記載した振動モータの回転部材。
【発明の詳細な説明】
【技術分野】
【０００１】
この発明は、振動モータの回転部材に関する。
【背景技術】
【０００２】
携帯電話機などにおいては、着信を振動で知らせるようにするために振動モータが採用されている。この種の振動モータに採用される薄型の回転部材は、ロータと平面型のコミュテータとを有している。そして、回転部材のロータには、コアレスタイプやコア付きタイプがあり、コアレスタイプのロータを採用した回転部材を備える振動モータについての詳細な構造や動作原理が本発明者による特開平１０−３３６９８３号公報（特許文献１参照）等によって開示されている。
【０００３】
特開平１０−３３６９８３号公報によって開示されている振動モータにおいて、コアレスタイプのロータは、偏心箇所に１個の偏平な電機子コイル（巻線）が配備されて略扇形に形成されており、それぞれの電機子コイルの端末は、ロータと同心に配備されたコミュテータのロータとの対向面側で結線されていて、コミュテータの表面側（ロータとの非対向面側）に設けられている摺動電極にコミュテータのスルホールを介して電気的に接続されている。
【０００４】
一般に、コミュテータ２１の表面側（ロータとの非対向面側）に設けられている摺動電極に形成される電気接続用のスルホールの位置は、図３および図４に示すように給電用ブラシの走行するスペース２２を確保するため、摺動電極２３の外径側と内径側とに分けて形成されている。すなわち、スルホール２４は給電用ブラシとの磨耗や衝撃によって接触不良を発生しやすく、その部分を給電用ブラシを走行することは回避されている。
そして給電用ブラシは、上記摺動電極２３の外径側と内径側との間を走行するようになっているのである。２５はロータに偏って設けた電機子コイルである。
【０００５】
コミュテータ２１の裏面側は、図４に示すように、第１の一対のスルホール２４−１間をレジスト部で接続し、第２の一対のスルホール２４−２間もレジスト部で接続している。２６は第１および第２のスルホール２４−１，２４−２に設けた金メッキ部間に搭載した印刷抵抗である。
【特許文献１】特開平１０−３３６９８３号公報
【発明の開示】
【発明が解決しようとする課題】
【０００６】
ところで、振動モータでは、ロータの複数の巻線の端末をコミュテータの摺動電極に結線して電気的に接続する必要があり、その結線箇所をコミュテータのどの位置に選定するかは、結線作業性の良否に大きな影響を及ぼすだけでなく、巻線スペースの確保や振動モータの小形化・薄形化などに様々な影響を及ぼす。
【０００７】
この発明は以上の課題を解決するためになされたものであり、ロータの複数の巻線の端末のコミュテータの摺動電極に対する結線箇所、すなわちスルホールの位置を適切に選定することによって、振動モータの小形化・薄形化などに寄与し得る振動モータの回転部材を提供することを目的とする。
【０００８】
したがってこの発明は、給電用ブラシをコミュテータの内径ぎりぎりまで近づけることができるようにした振動モータの回転部材を提供することを目的とする。
【０００９】
またこの発明は、給電用ブラシの走行距離が短くて済み、給電用ブラシの耐久性を向上させ、ひいては振動モータの長寿命化を図ることができる振動モータの回転部材を提供することを目的とする。
【課題を解決するための手段】
【００１０】
そこでこの発明の振動モータの回転部材は、１または2以上の電機子コイルが偏った位置に形成されたロータと、このロータと同心に配備されかつ給電用ブラシに接触される摺動電極を備えた平面型のコミュテータとを有する振動モータの回転部材であって、上記コミュテータには上記摺動電極に電気的に接続された結線部がスルホールとして設けられ、その結線部に電機子コイルの巻線の端末が結線されて電気的に接続されているとともに、上記各スルホールが上記コミュテータの摺動電極外径側に設けられていることを特徴とするものである。
【００１１】
またこの発明の振動モータの回転部材は、給電用ブラシが、摺動電極内径側に電気的に接続されていることをも特徴とするものである。
【発明の効果】
【００１２】
この発明は以上のように、電機子コイルの巻線の端末が結線されて電気的に接続されている各スルホールが上記コミュテータの摺動電極外径側に設けられているので、給電用ブラシの位置取りを大きな自由度をもって配置することができるようになった。
【００１３】
またこの発明によれば、給電用ブラシの位置をコミュテータの内径ぎりぎりまで近づけることができるようになり、給電用ブラシの走行距離が短くて済み、給電用ブラシの耐久性を向上させ、ひいては振動モータの長寿命化を図ることができる振動モータの回転部材を提供できるようになった。
【発明を実施するための最良の形態】
【００１４】
以下、この発明の振動モータの回転部材の実施の形態を、添付図面に基いて詳細に説明する。
図１はこの発明に係る振動モータの回転部材の１実施例を示す表面側の概略説明図、図２は裏面側の概略説明図である。
【００１５】
図１および図２の実施例において、コミュテータ１１の表面側（ロータとの非対向面側）に設けられている摺動電極１２に形成される電気接続用のスルホール１３の位置は、それぞれ摺動電極１２の外径側にのみ配置されている。
そして給電用ブラシは、上記摺動電極１２の内径側を走行するようになっているのである。１４はロータ上に偏って設けた電機子コイル、１５は摺動電極１２間のスリットの段差を埋めている絶縁体であり、本例ではスリットの段差をレジスト層で埋めて、給電用ブラシの走行に支障をきたさないようになっている。
なお、上記スリットの段差を埋める絶縁体１５は、給電用ブラシの走行に支障をきたさないようにするためのものであり、スリットと絶縁体１５との間に生じる多少の空隙は何ら問題とはならない。
【００１６】
図において電気的に接続された第１の一対のスルホール１３−１は、上記摺動電極１２のＡおよびＡ’の部分に設けられ、また第２の一対のスルホール１３−２は、上記摺動電極１２のＢおよびＢ’に設けられている。
なお、一対のスルホール１３−１のうちＡ部分におけるスルホール１３−１は、Ｂ側に食い込むよう移動させることにより、電機子コイル１４とのレイヤーショートを防止している。
【００１７】
以上説明した回転部材を備える振動モータでは、給電用ブラシ、コミュテータ１１の摺動電極１２、スルホール１３、配線パターン、半田付け面を経て巻線からなる電機子コイル１４に給電されるので、巻線によって形成される極がマグネットと作用し、冒頭に掲げた特開平１０−３３６９８３号公報によって開示されている動作原理に従って回転部材が所定の方向に回転する。そして、回転部材が回転すると、ロータの回転によって生じる偏荷重が振動エネルギーを発生させる。したがって、この振動モータは、たとえば携帯電話機において着信を知らせることに使用することができる。
【００１８】
図２の裏面側において、コミュテータ１１の裏面側は、第１の一対のスルホール１３−１間をレジスト部で接続し、第２の一対のスルホール１３−２間もレジスト部で接続している。なお、第１および第２のスルホール１３−１，１３−２に設けた金メッキ部１６間に印刷抵抗が搭載されるようになっている。
【産業上の利用可能性】
【００１９】
この発明の振動モータの回転部材は携帯電話機などにおいて、着信を振動で知らせるようにするために振動モータのパーツとしてのみならず、振動を発生するための種々の機器、例えばマッサージ器その他適宜の用途に使用することが可能である。
【図面の簡単な説明】
【００２０】
【図１】この発明に係る振動モータの回転部材の１実施例を示す表面側の概略説明図である。
【図２】裏面側の概略説明図である。
【図３】従来例に係る振動モータの回転部材を示す表面側の概略説明図である。
【図４】裏面側の概略説明図である。
【符号の説明】
【００２１】
１１  コミュテータ
１２  摺動電極
１３  スルホール
１３−１  第１のスルホール
１３−２  第２のスルホール
１４  電機子コイル
１５  絶縁体
１６  金メッキ部
【図１】
2005237181.tif 000003
【図２】
2005237181.tif 000004
【図３】
2005237181.tif 000005
【図４】
2005237181.tif 000006